(57)【要約】【課題】文書データの出力期限後に文書データの出力が単にできなくなるという構成と比較して、出力期限を受取人が意識できるようにする。【解決手段】文書送受信システム１は、文書データを送信する第１画像処理装置２０と、印刷可能な期限である印刷期限を有する文書データを取得する取得手段と、印刷期限を経過した場合に、印刷期限の経過前の文書データの印刷態様とは異なる態様によって文書データを印刷する第２画像処理装置４０とを備える。そして、文書送受信システム１では、印刷期限の前後で文書データの印刷態様が異なるため、受取人は、印刷期限が経過した場合に、その印刷期限の経過を意識することができる。【選択図】図１
2018015954.tif 000002
【特許請求の範囲】
【請求項１】
出力可能な期限である出力期限を有する文書データを取得する取得手段と、
前記出力期限を経過した場合に、当該出力期限の経過前の前記文書データの出力態様とは異なる態様によって当該文書データを出力する出力手段と、
を備える出力装置。
【請求項２】
前記出力手段は、前記出力期限を経過した場合に、前記文書データに基づいて当該出力期限の経過前の前記文書データの出力内容とは異なる内容を出力する請求項１に記載の出力装置。
【請求項３】
前記出力手段は、前記出力期限内に出力された文書データに対して、予め定められた情報を付与し、当該出力期限後に出力された文書データに対しては当該予め定められた情報を付与しない請求項２に記載の出力装置。
【請求項４】
前記出力手段は、前記出力期限を経過した場合に、前記文書データの一部のみを出力する請求項２に記載の出力装置。
【請求項５】
前記出力手段は、前記出力期限を経過した場合に、当該出力期限の経過前の前記文書データの出力動作とは異なる動作にて当該文書データを出力する請求項１に記載の出力装置。
【請求項６】
前記出力手段は、前記出力期限を経過した場合に、前記文書データの受取人の操作に関わらず強制的に当該文書データを出力する請求項５に記載の出力装置。
【請求項７】
文書データを送信する送信手段と、
前記文書データを出力可能な期限である出力期限の設定を受け付ける設定手段と、
前記出力期限が設定された文書データを取得する取得手段と、
前記出力期限を経過した場合に、当該出力期限の経過前の前記文書データの出力態様とは異なる態様によって当該文書データを出力する出力手段と、
を備えるシステム。
【請求項８】
前記出力期限後に文書データが出力される場合には、当該文書データの受取人に対して予め定められた課金を行う課金手段を備える請求項７に記載のシステム。
【請求項９】
出力装置として機能するコンピュータに、
出力可能な期限である出力期限を有する文書データを取得する機能と、
前記出力期限を経過した場合に、当該出力期限の経過前の前記文書データの出力態様とは異なる態様によって当該文書データを出力させる機能と、
を実現させるためのプログラム。
【発明の詳細な説明】
【技術分野】
【０００１】
本発明は、出力装置、システムおよびプログラムに関する。
【背景技術】
【０００２】
例えば特許文献１には、プリント指示受付部が、操作部を介するファイルのプリント要求を受け付けた場合に、計時部が計時を開始する。プリンタ部によりプリントされたプリント媒体には、識別マークが併せてプリントされ、当該識別マークが付加された媒体がスキャナ部で読み取られたタイミングが、ファイルに設定された応答期限内であるか否かにより、スキャナ部で得られた画像データの処理内容を切り替える画像処理装置が開示されている。
【先行技術文献】
【特許文献】
【０００３】
【特許文献１】特開２００８−１３１２６７号公報
【発明の概要】
【発明が解決しようとする課題】
【０００４】
ここで、出力手段に対しネットワーク等を介して差出人が文書データを送付することで、出力手段にて文書データが出力され、文書が受取人に受領されるというシステムを考えてみる。このようなシステムにおいて、受取人が文書データの出力を可能にする出力期限を設けたいという要望が想定される。また、出力期限を設けた場合に、受取人が出力期限内に文書データの出力を行わなければ、例えば受取人は、出力期限や、出力期限が設定された文書データの存在自体を意識することができない可能性が高い。
【０００５】
本発明は、文書データの出力期限後に文書データの出力が単にできなくなるという構成と比較して、出力期限を受取人が意識できるようにすることを目的とする。
【課題を解決するための手段】
【０００６】
請求項１に記載の発明は、出力可能な期限である出力期限を有する文書データを取得する取得手段と、前記出力期限を経過した場合に、当該出力期限の経過前の前記文書データの出力態様とは異なる態様によって当該文書データを出力する出力手段と、を備える出力装置である。
請求項２に記載の発明は、前記出力手段は、前記出力期限を経過した場合に、前記文書データに基づいて当該出力期限の経過前の前記文書データの出力内容とは異なる内容を出力する請求項１に記載の出力装置である。
請求項３に記載の発明は、前記出力手段は、前記出力期限内に出力された文書データに対して、予め定められた情報を付与し、当該出力期限後に出力された文書データに対しては当該予め定められた情報を付与しない請求項２に記載の出力装置である。
請求項４に記載の発明は、前記出力手段は、前記出力期限を経過した場合に、前記文書データの一部のみを出力する請求項２に記載の出力装置である。
請求項５に記載の発明は、前記出力手段は、前記出力期限を経過した場合に、当該出力期限の経過前の前記文書データの出力動作とは異なる動作にて当該文書データを出力する請求項１に記載の出力装置である。
請求項６に記載の発明は、前記出力手段は、前記出力期限を経過した場合に、前記文書データの受取人の操作に関わらず強制的に当該文書データを出力する請求項５に記載の出力装置である。
請求項７に記載の発明は、文書データを送信する送信手段と、前記文書データを出力可能な期限である出力期限の設定を受け付ける設定手段と、前記出力期限が設定された文書データを取得する取得手段と、前記出力期限を経過した場合に、当該出力期限の経過前の前記文書データの出力態様とは異なる態様によって当該文書データを出力する出力手段と、を備えるシステムである。
請求項８に記載の発明は、前記出力期限後に文書データが出力される場合には、当該文書データの受取人に対して予め定められた課金を行う課金手段を備える請求項７に記載のシステムである。
請求項９に記載の発明は、出力装置として機能するコンピュータに、出力可能な期限である出力期限を有する文書データを取得する機能と、前記出力期限を経過した場合に、当該出力期限の経過前の前記文書データの出力態様とは異なる態様によって当該文書データを出力させる機能と、を実現させるためのプログラムである。
【発明の効果】
【０００７】
請求項１、７および９の発明によれば、文書データの出力期限後に文書データの出力が単にできなくなるという構成と比較して、出力期限を受取人が意識することができる。
請求項２の発明によれば、文書データの出力内容によって、文書データの出力期限の経過を受取人が意識することが可能になる。
請求項３の発明によれば、予め定められた情報の有無によって、文書データの出力期限の経過を受取人が意識することができる。
請求項４の発明によれば、出力期限の経過前の文書データの内容を、受取人が参考にすることができる。
請求項５の発明によれば、出力手段の出力動作によって、文書データの出力期限の経過を受取人が意識することが可能になる。
請求項６の発明によれば、文書データが強制的に出力されるということによって、出力期限が経過していることを受取人が意識することが可能になる。
請求項８の発明によれば、課金によって、文書データを出力期限前に出力するという受取人の意識を高めることができる。
【図面の簡単な説明】
【０００８】
【図１】実施形態１の文書送受信システムの構成例を示す図である。
【図２】端末装置および管理サーバのハードウェア構成例を示す図である。
【図３】第１画像処理装置および第２画像処理装置のハードウェア構成例を示した図である。
【図４】実施形態１の第１画像処理装置の機能ブロック図である。
【図５】（ａ）および（ｂ）は、実施形態１の文書の送付画面の一例の図である。
【図６】実施形態１の管理サーバの機能ブロック図である。
【図７】実施形態１の第２画像処理装置の機能ブロック図である。
【図８】（ａ）〜（ｃ）は、印刷期限前後での印刷態様を異ならせる処理の説明図である。
【図９】実施形態１の文書送受信システムのシーケンス図である。
【図１０】実施形態２の文書送受信システムの構成例を示す図である。
【図１１】実施形態３の文書送受信システムの構成例を示す図である。
【発明を実施するための形態】
【０００９】
以下、添付図面を参照して、本発明を実施するための形態について説明する。
＜実施形態１＞
〔システム構成〕
図１は、実施形態１の文書送受信システムの構成例を示す図である。
図１に示すように、実施形態１の文書送受信システム１は、端末装置１０と、第１画像処理装置２０と、管理サーバ３０と、複数の第２画像処理装置４０とを有している。そして、端末装置１０、第１画像処理装置２０、管理サーバ３０および第２画像処理装置４０は、直接またはネットワークを介してデータ接続されている。
【００１０】
そして、実施形態１の文書送受信システム１において、差出人は、端末装置１０を介して第１画像処理装置２０から第２画像処理装置４０に対して文書を送信する。具体的には、まず、差出人は、端末装置１０を用いて文書を作成する。作成された文書は、第１画像処理装置２０から管理サーバ３０を経由して第２画像処理装置４０に送信される。そして、文書は、第２画像処理装置４０にて紙として印刷され、受取人により受領される。
【００１１】
このように、実施形態１の文書送受信システム１では、第１画像処理装置２０を差出人が郵便を投函する郵便ポストのように機能させ、第２画像処理装置４０を受取人が郵便を受け取る郵便受けとして機能させる。そして、文書送受信システム１では、複数の画像処理装置を介して文書の送受を行うという電子的な郵便サービス（以下、本サービスと呼ぶ）を実現している。また、本サービスにおいて、受取人は、あらゆる場所に設置されている複数の第２画像処理装置４０のうち、どの第２画像処理装置４０においても文書を受け取れるようになっている。
【００１２】
さらに、実施形態１の文書送受信システム１においては、差出人は、受取人が文書を印刷可能にする有効期限（以下、印刷期限と呼ぶ）を設定できるようになっている。そして、その印刷期限の前後で、文書の印刷態様が異なるようになっている。
この文書の印刷期限の設定については、後に詳しく説明する。
なお、実施形態１において、第２画像処理装置４０（出力装置の一例）が取得手段および出力手段の一例として機能する。また、端末装置１０や第１画像処理装置２０は、送信手段および設定手段の一例として機能する。
【００１３】
なお、実施形態１において、文書は、文字、符号、画像等の人の知覚によって認識することができる情報が記載されたものを意味する。さらに、文書データには、紙に印刷された場合に信書となる信書データが含まれる。ここで、信書とは、特定の受取人に対し、差出人の意志を表示し、または事実を通知する文書のことである。
信書としては、書状、請求書、印鑑証明書、住民票の写し、文書自体に受取人名が記載されているダイレクトメールなどを例示できる。また、信書以外の文書としては、カタログ、文書自体に受取人名が記載されていないダイレクトメールなどを例示できる。
【００１４】
また、差出人が作成する文書は、受取人が受け取るまでに、内容としては同様であるが、データとしての形式が変遷する。以下の説明においては、便宜上、文書のデータの形式を問わず、電子データである文書は、「文書データ」と総称する場合がある。また、文書データを用紙等に印刷した印刷物のことを「紙印刷文書」と呼ぶ。
【００１５】
なお、第１画像処理装置２０および第２画像処理装置４０は、基本構成が同じである。そして、以下の説明において、第１画像処理装置２０は、差出人が文書を送付する際に利用する機器（以下、差出人側機器と呼ぶ）である。一方、第２画像処理装置４０は、受取人が文書を受領する際に利用する機器（以下、受取人側機器と呼ぶ）である。
ここで、第２画像処理装置４０が差出人側機器となり、第１画像処理装置２０が受取人側機器となる場合もある。ただし、第１画像処理装置２０および第２画像処理装置４０について、それぞれ差出人側機器となる場合と受取人側機器となる場合について説明すると、機能構成が重複して説明が煩雑となる。そのため、以下の説明においては、第１画像処理装置２０を差出人側機器とし、第２画像処理装置４０を受取人側機器として説明する。
【００１６】
端末装置１０は、差出人の操作により、予め定められたアプリケーション等にて文書データを作成する。端末装置１０は、作成した文書データを第１画像処理装置２０に送る。端末装置１０には、例えば、設置されているＰＣ（パーソナルコンピュータ）、携帯電話やタブレット型端末などの携帯型端末などを用いることができる。
【００１７】
第１画像処理装置２０は、所謂複合機であり、複写、印刷（画像形成）、画像読取、ファクシミリなどの機能を備えた装置である。また、第１画像処理装置２０は、本サービスを実現する機能の一つとして、差出人が作成した文書データや、文書データの送信に関わる関連情報を管理サーバ３０に送信する機能を有する。
【００１８】
管理サーバ３０は、第１画像処理装置２０から取得した文書データおよび文書データの送受信に関わる関連情報を記憶する。そして、管理サーバ３０は、受取人の指示に基づいて、記憶している文書データを第２画像処理装置４０に送信する。
【００１９】
第２画像処理装置４０は、所謂複合機であり、複写、印刷、画像読取、ファクシミリなどの機能を備えた装置である。また、第２画像処理装置４０は、本サービスを実現する機能の一つとして、管理サーバ３０から受信した文書データを印刷する。
【００２０】
図２は、端末装置１０および管理サーバ３０のハードウェア構成例を示す図である。
図２に示すように、端末装置１０および管理サーバ３０は、演算手段であるＣＰＵ（Central Processing Unit）１００ａと、主記憶手段であるメモリ１００ｃを備える。また、各装置は、外部デバイスとして、磁気ディスク装置（ＨＤＤ：Hard Disk Drive）１００ｇ、ネットワークインターフェイス１００ｆ、表示機構１００ｄ、音声機構１００ｈ、キーボードやマウス等の入力デバイス１００ｉ等を備える。
【００２１】
メモリ１００ｃおよび表示機構１００ｄは、システムコントローラ１００ｂを介してＣＰＵ１００ａに接続されている。また、ネットワークインターフェイス１００ｆ、磁気ディスク装置１００ｇ、音声機構１００ｈおよび入力デバイス１００ｉは、Ｉ／Ｏコントローラ１００ｅを介してシステムコントローラ１００ｂと接続されている。各構成要素は、システムバスや入出力バス等の各種のバスによって接続される。
【００２２】
磁気ディスク装置１００ｇには、各機能を実現するためのプログラムが格納されている。そして、このプログラムがメモリ１００ｃにロードされ、このプログラムに基づく処理がＣＰＵ１００ａにより実行されることにより、各種の機能が実現される。
【００２３】
〔第１画像処理装置２０および第２画像処理装置４０のハードウェア構成〕
図３は、第１画像処理装置２０および第２画像処理装置４０のハードウェア構成例を示した図である。
図３に示すように、ＣＰＵ１０１は、ＲＯＭ（Read Only Memory）１０２等に記憶された各種プログラムをＲＡＭ（Random Access Memory）１０３にロードして実行することにより、第１画像処理装置２０および第２画像処理装置４０の主たる制御を行い、第１画像処理装置２０および第２画像処理装置４０の各々の機能を実現する。ＲＯＭ１０２は、ＣＰＵ１０１が実行する各種プログラムや、予め定められた固定データ等を記憶するメモリである。ＲＡＭ１０３は、ＣＰＵ１０１の作業用メモリ等として用いられるメモリである。不揮発性メモリ１０４は、電源を供給しなくても記憶している情報を保持することが可能なメモリであり、画像調整に用いられるパラメータや、各種の履歴データを記憶する。
ＨＤＤ１０５は、例えば磁気ディスク装置であり、後述の画像読取部１１９が読み取った画像データや、後述の画像形成部１１８における画像形成にて用いられる画像データなどを記憶する。
【００２４】
画像データ処理部１０６は、画像データの伸張圧縮処理など、画像データに対する処理を行う。認証制御部１０７は、カードリーダ１０８と、カメラ１０９を制御する。カードリーダ１０８は、情報の記録や演算をするために集積回路（ＩＣ）が組み込まれたＩＣカードを読み取り、ＩＣカードに記録された情報を取得する。また、カメラ１０９は、カメラによってＵＩ部１１０を操作するユーザを含む画像を撮影する。
【００２５】
ＵＩ（User Interface）部１１０は、ユーザの接触操作を受け付ける操作部１１２および各種画像の表示を行うモニタ１１３を有している。
操作部１１２は、ユーザによる第１画像処理装置２０および第２画像処理装置４０の各々のプリント機能、スキャン機能、コピー機能、ファクシミリ機能、文書の送受信機能等の画像処理機能の指示を受け付ける。
【００２６】
ＬＡＮ（Local Area Network）ポート１１４は、外部とデータを入出力するためのインタフェースである。なお、実施形態１では、ＬＡＮポート１１４は、無線通信のインタフェースとしての役割も果たす。Ｓｅｒｉａｌポート１１５は、外部の周辺機器を接続するためのインタフェースである。ＵＳＢ（Universal Serial Bus）ポート１１６は、ＵＳＢケーブルを介して周辺機器を接続するためのインタフェースである。モデム１１７は、ファクシミリなどの公衆回線への接続を行う制御部であり、各種ファクシミリ機能を提供可能とする。
【００２７】
画像形成部１１８は、記録媒体の一例としての用紙等に画像を形成する。画像読取部１１９は、用紙等に記録された画像を読み取る。
【００２８】
続いて、文書送受信システム１に係わる各構成部の機能構成について詳細に説明する。〔端末装置１０の機能構成〕
端末装置１０は、実施形態１では、第１画像処理装置２０に接続している。そして、端末装置１０には、第１画像処理装置２０を動作させるためのプリンタドライバがインストールされている。そして、端末装置１０は、第１画像処理装置２０における画像形成部１１８や画像読取部１１９を動作させたり、第１画像処理装置２０を介して本サービスを利用したりすることが可能になっている。
【００２９】
また、端末装置１０では、予め定められたアプリケーション等を用いて、差出人によって文書ファイルが作成される。文書ファイルは、最終的に受取人に対して送付される紙印刷文書の元となるデータである。そして、端末装置１０は、差出人が作成した文書ファイルをＰＤＬ（Page-Description Language）データに変換する。さらに、端末装置１０は、ＰＤＬデータを第１画像処理装置２０に送信する。
【００３０】
〔第１画像処理装置２０の機能構成〕
図４は、実施形態１の第１画像処理装置２０の機能ブロック図である。
図４に示すように、第１画像処理装置２０は、文書画像を送信する文書送信部２１と、文書の種類を設定するための文書種類設定部２２と、原本性を保証するための原本設定部２３と、文書データの送信先となる宛先を設定する宛先設定部２４と、後述する印刷期限送受信の詳細設定を行う印刷期限文書設定部２５と、を有する。
【００３１】
文書送信部２１は、端末装置１０から取得した文書のＰＤＬデータに基づいて、文書画像（イメージファイル）を作成する。そして、文書送信部２１は、作成した文書画像を管理サーバ３０に送信する。
【００３２】
文書種類設定部２２は、文書の送受信の種類を設定する。実施形態１の送受信の種類は、「通常送受信」および「印刷期限送受信」がある。
「通常送受信」は、印刷期限送受信ではない通常の送受信である。また、「印刷期限送受信」は、受取人が文書画像を通常通りの態様にて出力可能とする印刷期限が設定された送受信である。
【００３３】
原本設定部２３は、紙印刷文書に対して、その紙印刷文書が原本であるということを保証する原本設定を行う。原本設定部２３は、差出人により、紙印刷文書に対して原本設定を行うという指示を受け付けると、原本設定を行うための指示情報である原本設定情報を管理サーバ３０に送信する。
【００３４】
宛先設定部２４は、文書の受取人の情報である宛先情報の設定を行う。そして、宛先設定部２４は、宛先情報を文書画像に対応づけて管理サーバ３０に送信する。
なお、文書データは、特定の個人に宛てて送信する場合に限らず、企業や企業の特定の部署を宛先として設定しても良い。さらに、宛先設定部２４は、ネットワークに接続している特定の画像処理装置を指定可能な情報を用いて、受取人側機器を直接的に選択し、その受取人側機器を宛先として文書データを送信しても良い。
【００３５】
印刷期限文書設定部２５は、文書データの種類として印刷期限送受信が設定された場合に、差出人により指定された印刷期限を文書データに対して設定する。より具体的には、印刷期限文書設定部２５は、印刷期限送受信の設定が行われた際に、対象となる文書データに対応づけて印刷パスワード（トークン）を発行する。発行された印刷パスワードは、受取人に対して通知される。
印刷パスワードは、文書画像の印刷を可能にするためのパスワードである。ここで、実施形態１において、文書画像を印刷するということは、元の文書画像の内容をそのまま印刷することを意味する。一方で、文書画像を印刷しないということには、文書画像の印刷を一切行わない場合や、元の文書画像の内容をそのまま印刷するのではなく元の文書画像の内容の少なくとも一部を変更して印刷する場合も含まれる。
そして、印刷期限文書設定部２５は、印刷パスワード自体に有効期限を設定する。これにより、印刷期限文書設定部２５は、文書画像に対して印刷期限を設定する。
【００３６】
また、印刷期限文書設定部２５は、文書データの印刷期限以降の印刷態様を設定する。そして、印刷期限文書設定部２５は、印刷期限前に文書画像が印刷される場合の印刷態様と、印刷期限以降に文書画像が印刷されようとする場合とで、印刷態様が互いに異なるように設定する。なお、実施形態１においては、印刷態様は、差出人が指定するようになっている。ただし、印刷態様は、受取人が設定しても良い。
なお、印刷期限前後での印刷態様の変更については、後に詳しく説明する。
【００３７】
次に、差出人が本サービスを利用する際に、端末装置１０の表示機構１００ｄに表示される送付画面について説明する。なお、送付画面は、第１画像処理装置２０のプリンタドライバによって表示される。
図５は、実施形態１の文書の送付画面の一例の図である。
例えば、端末装置１０のアプリケーションのメニューから、第１画像処理装置２０にて印刷を行うための画面を開く。そうすると、図５（ａ）に示すように、画面には、印刷ボタン８１と、送付ボタン８２とが表示される。印刷ボタン８１は、第１画像処理装置２０にて文書画像を印刷するためのボタンである。一方、送付ボタン８２は、第１画像処理装置２０を介して受取人に文書を送付するためのボタンである。
【００３８】
そして、送付ボタン８２を選択すると、図５（ｂ）に示すように、文書を送付するための送付画面が表示される。送付画面は、宛先を設定するための宛先設定ボタン８３と、文書画像の印刷期限を設定する期限設定ボタン８４と、紙印刷文書に対して原本設定を行うための原本設定ボタン８５と、を有する。
【００３９】
宛先設定ボタン８３は、受取人や受取人側機器を設定する際に用いる。宛先設定ボタン８３を押下すると、受取人名等のリストが表示される。そして、差出人は、文書の送付対象となる受取人名を指定する。指定された受取人名の情報は、宛先情報として第１画像処理装置２０に送信される。
【００４０】
期限設定ボタン８４は、送付対象となっている文書画像に対して、印刷期限を設定する際に用いるボタンである。期限設定ボタン８４を押下すると、予め定められた入力画面が表示され、日付および時間などの期限情報や、印刷期限経過後の文書画像の印刷態様の指定を受け付ける。そして、印刷期限を設定するための印刷期限設定情報は、第１画像処理装置２０に送信される。
【００４１】
原本設定ボタン８５は、送付する文書に基づいて印刷された紙印刷文書に対して原本設定を行う際に用いるボタンである。原本設定ボタン８５を押下すると、紙印刷文書に対して原本性を保証する設定を行うための原本設定情報が第１画像処理装置２０に送信される。
【００４２】
〔管理サーバ３０の機能構成〕
図６は、実施形態１の管理サーバ３０の機能ブロック図である。
図６に示すように、管理サーバ３０は、本サービスの利用に関する登録情報を記憶する登録情報記憶部３１と、文書画像を記憶する文書記憶部３２と、紙印刷文書の原本性を登録する原本登録部３３と、文書画像の印刷期限に関する情報を記憶する期限情報記憶部３４と、送受信に関わる課金情報を記憶する課金情報記憶部３５（課金手段の一例）と、を有する。
【００４３】
登録情報記憶部３１は、本サービスを利用する利用者の登録氏名（登録企業名等）、ユーザＩＤおよび利用パスワード等の利用者情報を記憶している。そして、登録情報記憶部３１は、例えば第２画像処理装置４０において受取人がログイン認証を行う際に、記憶している登録情報を参照させる。
また、登録情報記憶部３１は、サービス登録者（個人や企業等）の属性情報を記憶している。属性情報は、後述するように、ダイレクトメールの受取人を設定する際に用いられる。そして、属性情報は、サービス登録者に関わる属性情報である登録者属性情報と、受取人側機器に関わる属性情報である機器属性情報とを含んでいる。
【００４４】
文書記憶部３２は、第１画像処理装置２０から受信した文書画像を記憶する。また、文書記憶部３２は、文書の宛先情報を、文書画像に対応付けて記憶する。そして、文書記憶部３２は、第２画像処理装置４０からの要求に応じて、記憶している文書画像を第２画像処理装置４０に送信する。
【００４５】
原本登録部３３は、原本設定が行われている文書画像の原本登録を行う。原本登録は、紙印刷文書の原本性を保証するために、紙印刷文書の元となる文書画像および、その文書画像に対応する紙印刷文書を識別可能な情報を記憶する。実施形態１の原本登録部３３は、紙印刷文書が原本であることを識別するための識別情報画像（予め定められた情報の一例）を作成する。識別情報画像は、紙印刷文書を一意に特定可能な画像である。そして、原本登録部３３は、文書画像と識別情報画像とを対応付けて記憶する。
【００４６】
また、原本登録部３３は、文書画像についての第２画像処理装置４０における印刷の履歴である印刷履歴を記憶している。そして、実施形態１では、ある文書画像が初めて印刷される際に、原本登録部３３は、その文書画像に対応する識別情報画像を第２画像処理装置４０に送信する。なお、原本登録部３３は、その文書画像について２回目以降の印刷が行われる場合には、対応する識別情報画像を第２画像処理装置４０には送信しない。すなわち、実施形態１では、最初に印刷される紙印刷文書に対してのみ原本性を保証するようにしている。
【００４７】
なお、紙印刷文書の原本性を保証するにあたって、識別情報画像を紙印刷文書に直接印刷することに限定されない。例えば、文書画像を印刷する際に、印刷する紙の紙指紋を予め読み取る。そして、原本登録部３３は、その紙指紋の情報を、文書画像に対応付けて記憶することで、紙印刷文書の原本性を管理しても良い。
また、原本性を保証する紙印刷文書の印刷回数は、上述の１回に限定されず、予め設定された回数でも良い。
【００４８】
期限情報記憶部３４は、文書画像の印刷期限が設定されている場合に、その文書画像に関する印刷期限を記憶する。実施形態１では、期限情報記憶部３４は、印刷パスワードの有効期限を記憶している。そして、期限情報記憶部３４は、印刷期限が設定された文書画像の印刷期限前における印刷を許可する。一方で、期限情報記憶部３４は、印刷期限が設定された文書画像の印刷期限経過後の印刷を制限する。
【００４９】
また、期限情報記憶部３４は、印刷パスワードの有効期限が経過した後に、その印刷パスワードに対応付けられた文書画像が第２画像処理装置４０にて１回も印刷されていなかった場合には、差出人に対して、文書画像が印刷期限内に印刷されていないことを示す未印刷通知を作成し、作成した未印刷通知を第１画像処理装置２０に送信する。
【００５０】
課金情報記憶部３５は、差出人による文書の送付や、受取人による文書の受領による、差出人や受取人に対する課金に関する情報を記憶する。
例えば、課金情報記憶部３５は、差出人により文書ファイルの送付が行われ、管理サーバ３０にて文書画像が受信された際に、予め定められた料金を差出人に課金する。
【００５１】
〔第２画像処理装置４０の機能構成〕
図７は、実施形態１の第２画像処理装置４０の機能ブロック図である。
図７に示すように、第２画像処理装置４０は、文書送受信サービスに関わる情報を表示させる受信情報表示部４１と、文書画像を取得する文書画像取得部４２と、印刷期限設定がされた文書画像を処理する印刷期限文書処理部４３とを有する。
【００５２】
受信情報表示部４１は、本サービスにおける各種メッセージのＵＩ部１１０に表示させる。例えば、受信情報表示部４１は、第２画像処理装置４０にログインしている受取人に対して、未受信の文書画像がある場合には、未受信の文書画像がある旨の通知を表示する。
また、受信情報表示部４１は、文書画像について印刷期限が設定されている場合には、出力期限がある文書画像があることを表示する。
【００５３】
文書画像取得部４２は、ログインしている受取人に対して送付されている文書画像を管理サーバ３０から取得する。そして、文書画像取得部４２は、取得した文書画像を、画像形成部１１８にて印刷させる。
【００５４】
印刷期限文書処理部４３は、管理サーバ３０から印刷期限が設定された文書画像を取得する。そして、印刷期限文書処理部４３は、印刷期限前であれば、その文書画像を画像形成部１１８にて印刷させる。一方、印刷期限文書処理部４３は、印刷期限後であれば、予め定められた条件に基づいて、その文書画像に基づいた印刷を行う。
印刷期限文書処理部４３は、印刷期限設定がされている文書画像の印刷出力に際して、印刷期限前後での印刷態様を異ならせるための処理を行う。印刷期限文書処理部４３は、印刷期限が設定されている文書画像を受信し、受取人によって印刷パスワードの入力が行われた際に、印刷パスワードが有効であれば、印刷期限前の印刷態様にて、文書画像を印刷する。一方、印刷期限文書処理部４３は、印刷パスワードが無効であれば、文書画像の印刷期限前の態様での印刷を制限するとともに、文書画像に基づいて印刷期限前の態様とは異なる態様にて印刷する。
【００５５】
実施形態１において、印刷期限文書処理部４３は、印刷期限前後での印刷態様を異ならせるための処理として、印刷される文書画像の内容に関わる印刷内容を異ならせる処理（以下、印刷内容変更処理と呼ぶ）と、文書画像を印刷する際の動作に関わる印刷動作を異ならせる処理（以下、印刷動作変更処理と呼ぶ）とを実行可能になっている。
【００５６】
続いて、印刷期限文書処理部４３が実行する、印刷期限前後での印刷態様を異ならせる処理について、具体的に説明する。
図８は、印刷期限前後での印刷態様を異ならせる処理の説明図である。
【００５７】
（印刷内容変更処理）
実施形態１において、印刷内容変更処理には、（１）原本保証の態様と、（２）無効表示の態様と、（３）印刷ページ数の態様とが設けられている。
（１）原本保証の態様
原本保証の態様では、文書画像に対して原本設定が行われている場合に、印刷期限前では紙印刷文書の原本性を保証し、印刷期限後では紙印刷文書の原本性を保証しない。
具体的には、印刷期限前では識別情報画像を紙印刷文書に印刷し、印刷期限以降では識別情報画像を紙印刷文書には印刷しない。例えば、図８（ａ）に示すように、有効期限のあるチケットＢ１である場合には、印刷期限前に印刷されるチケットＢ１には識別情報画像としてバーコード９１が印刷される。一方で、印刷期限以降に印刷されるチケットＰ１には、バーコードが印刷されない。
【００５８】
（２）無効表示の態様
無効表示の態様では、同じ文書画像に基づいて印刷する場合に、印刷期限前の紙印刷文書に対しては文書に有効性をもたせ、印刷期限以降の紙印刷文書に対しては無効であることを明示する。
具体的には、図８（ｂ）に示すように、印刷期限前では文書画像をそのまま紙印刷文書として印刷する。一方で、印刷期限後では、文書画像の印刷期限が経過し、その文書が無効になっていることを示す画像を、元の文書画像に重畳させて印刷する。例えば、印刷期限前には、元の文書画像の内容である証明書Ｂ２を印刷する。一方、印刷期限後では、元の文書画像の内容に、例えばＶＯＩＤ等の文書の無効性を明示するテキスト画像９２や、斜線の画像９３が重畳された証明書Ｐ２を印刷する。
【００５９】
（３）印刷ページ数の変更態様
印刷ページ数の変更態様では、同じ文書画像に基づいて印刷する場合に、印刷期限前の紙印刷文書のページ数と、印刷期限後の紙印刷文書のページ数とを異ならせる。具体的には、印刷期限前では文書画像のうち全ページ（全て）を印刷する。一方、印刷期限後には、文書画像のうち例えば表紙である第１ページのみなど、文書画像のうち一部分しか印刷しない。
【００６０】
（印刷動作変更処理）
実施形態１において、印刷動作変更処理には、（１）再送信の態様と、（２）課金の変更態様と、（３）内容表示の態様と、（４）印刷契機の変更態様とが設けられている。
【００６１】
（１）再送信の態様
再送信の態様では、印刷期限後には、印刷期限前には表示されなかった印刷パスワードの再送信依頼を行うための依頼画面をＵＩ部１１０に表示させる。具体的には、印刷期限後に、印刷期限が経過した文書画像を印刷するための印刷パスワードの再発行を依頼する依頼画面を表示させる。
なお、依頼画面には、印刷期限が経過した文書画像について、差出人に対して再度作成を依頼する依頼画面を表示しても良い。
【００６２】
（２）課金の変更態様
課金の変更態様では、印刷期限前の文書画像の印刷に伴って発生しうる課金と、印刷期限後の文書画像の印刷に伴って発生しうる課金とを異ならせる。具体的には、印刷期限前では、文書画像を印刷する際に受取人に対して課金が行われない。しかしながら、印刷期限後には、文書画像を印刷する際に受取人に対して課金が行われる。そして、課金が行われることの確認後に、印刷期限が経過した文書画像の印刷を改めて許可する。
【００６３】
（３）内容表示の態様
内容表示の態様では、印刷期限前と印刷期限後とで、文書画像の印刷および文書画像の内容確認の態様を異ならせる。具体的には、図８（ｃ）に示すように、印刷期限前では、文書画像がそのまま紙印刷文書Ｂ３として印刷される。一方で、印刷期限後には、文書画像について印刷が許可されず、文書画像の内容を確認可能な参考画像Ｐ３をＵＩ部１１０の画面に表示させる。
なお、ＵＩ部１１０の画面に表示された参考画像Ｐ３は、印刷することができないように設定される。また、参考画像Ｐ３を印刷することはできても、「Ｓａｍｐｌｅ」など印刷しても内容として無効であることを明示する無効画像９４が重畳して印刷される。
さらに、ＵＩ部１００の画面には、印刷期限が経過したことで、画面に表示される内容の文書画像の紙印刷文書での印刷ができない旨を説明するテキストメッセージ画像９５を表示する。
【００６４】
（４）印刷契機の変更態様
印刷契機の変更態様では、印刷期限前と印刷期限後とで印刷の契機を異ならせる。具体的には、印刷期限前には、ユーザによる印刷期限が設定された文書画像の印刷指示のタイミングで、その文書画像の印刷が行われる。一方で、期限経過後では、ユーザの指示のタイミングに関わらず、印刷期限が設定された文書画像の印刷が実行される。例えば、印刷期限が過ぎた文書画像が存在する場合には、受取人が第２画像処理装置４０にログインした直後や、印刷期限が設定されていない他の文書画像の印刷が行われる際に、期限経過後の文書画像が続けて強制的に印刷される。
【００６５】
なお、印刷期限文書処理部４３は、印刷期限経過後に、文書画像に基づく紙印刷文書の印刷を行った場合に、差出人に対して、印刷期限後に上述した態様にて文書画像の印刷が行われたことや、その場合の文書画像の印刷態様について通知を行うようにしても良い。
【００６６】
〔送受信システムの動作例〕
続いて、差出人が文書画像を、端末装置１０を介して第１画像処理装置２０から受取人に送付する場合についての一例を説明する。ここで、差出人は、オフィス等に設置されている第１画像処理装置２０を差出人側機器として用いる。また、受取人は、コンビニ店に設置されている第２画像処理装置４０を受取人側機器として利用する。そして、文書データについて、送受信の種類は、印刷期限送受信である。さらに、文書データに対しては、原本設定が行われる。
【００６７】
図９は、実施形態１の文書送受信システムのシーケンス図である。
図９に示すように、差出人は、端末装置１０にて信書などの文書ファイルを作成する（ステップ（以下、Ｓと表示）１０１）。そして、差出人は、端末装置１０の表示機構１００ｄに表示される送付画面（図５（ａ）および図５（ｂ）参照）にて、受取人に対して文書を送付する操作を行う。そして、端末装置１０は、文書ファイルのＰＤＬデータを作成し、第１画像処理装置２０にＰＤＬデータを送信する（Ｓ１０２）。
また、この送付の操作において、差出人は、文書ファイルの宛先情報の設定を行い、特定の受取人を指定する（Ｓ１０３）。さらに、差出人は、紙印刷文書に対する原本設定を行う（Ｓ１０４）。そして、差出人は、印刷期限の設定を行う（Ｓ１０５）。
【００６８】
そして、第１画像処理装置２０は、取得したＰＤＬデータに基づいて、文書画像を作成する（Ｓ１０６）。さらに、第１画像処理装置２０は、文書画像を管理サーバ３０に送信する（Ｓ１０７）。
また、第１画像処理装置２０は、宛先設定情報を管理サーバ３０に送信する（Ｓ１０８）。そして、第１画像処理装置２０は、原本設定情報を管理サーバ３０に送信する（Ｓ１０９）。さらに、第１画像処理装置２０は、印刷期限設定情報を管理サーバ３０に送信する（Ｓ１１０）。
【００６９】
そして、管理サーバ３０は、文書画像の登録を行う（Ｓ１１１）。文書画像の登録では、文書画像の記憶、記憶している文書画像に対する宛先の指定、識別情報画像の登録、印刷期限の設定などが行われる。
また、実施形態１では、差出人から文書画像が管理サーバ３０に送信されたタイミングで、差出人に対して予め定められた料金が課金される。
【００７０】
一方、受取人は、例えばコンビニ店に設置されている第２画像処理装置４０に対してログイン認証を行う（Ｓ１１２）。
その後、第２画像処理装置４０は、管理サーバ３０に対し、ログインしている受取人に対して送信されている文書画像の受信を要求する（Ｓ１１３）。そして、第２画像処理装置４０は、印刷期限の設定が行われている文書画像が存在する場合には、ＵＩ部１１０に「期限付き文書受信」のように、印刷期限が設定された文書画像があることを表示する（Ｓ１１４）。
【００７１】
そして、第２画像処理装置４０は、受取人に対して、印刷期限が設定された文書画像の印刷のための印刷パスワードの入力を求める（Ｓ１１５）。ここで、印刷パスワードの入力にて、有効期限内の印刷パスワードが入力された場合には、第２画像処理装置４０は、文書画像を取得する（Ｓ１１６）。さらに、第２画像処理装置４０は、文書画像の印刷を行う（Ｓ１１７）。そして、受取人は、紙印刷文書を受領する（Ｓ１１８）。
一方、印刷パスワードの入力にて、有効期限外の印刷パスワードが入力された場合には、第２画像処理装置４０は、印刷期限内の文書画像の印刷態様とは異なる印刷態様にて印刷する。
【００７２】
＜実施形態２＞
次に、実施形態２の文書送受信システム１について説明する。なお、実施形態２において、実施形態１と同様な構成については、同一の符号を付してその詳細な説明を省略する。
図１０は、実施形態２の文書送受信システム１の構成例を示す図である。
図１０に示すように、文書送受信システム１は、第１画像処理装置２０と、管理サーバ３０と、複数の第２画像処理装置４０とを有している。そして、実施形態２の説明において、差出人側機器は第１画像処理装置２０であり、受取人側機器は第２画像処理装置４０である。
【００７３】
実施形態２において、第１画像処理装置２０は、実施形態１のように端末装置１０を介さずに、直接操作が行われることを想定している。例えば、第１画像処理装置２０がコンビニ店などに設置されている場合が考えられる。
差出人は、第１画像処理装置２０を直接操作して、文書データを送信する。具体的には、差出人は、第１画像処理装置２０の画像読取部１１９にて原稿を読み取ったり、記録媒体に記録された原稿データを第１画像処理装置２０に読み込ませたりする。その後、第１画像処理装置２０の文書送信部２１は、原稿データに基づいて文書画像を作成する。
さらに、実施形態２において、ＵＩ部１１０に送付画面（図５（ｂ）参照）が表示される。そして、差出人は、ＵＩ部１１０の画面にて、送信する文書の受取人を設定したり、印刷期限の設定を行ったりする。
【００７４】
以上のようにして第１画像処理装置２０から文書データが管理サーバ３０に送信される。その後、例えば第２画像処理装置４０において受取人が文書画像の印刷を行うことで、紙印刷文書が受取人により受領される。
そして、実施形態２においても、印刷期限の前後において、実施形態１と同様に、紙印刷文書の印刷態様が相違する。
【００７５】
＜実施形態３＞
次に、実施形態３の文書送受信システム１について説明する。なお、実施形態３において、実施形態１と同様な構成については、同一の符号を付してその詳細な説明を省略する。
図１１は、実施形態３の文書送受信システム１の構成例を示す図である。
図１１に示すように、文書送受信システム１は、第１画像処理装置２０と、管理サーバ３０と、端末装置１０とを有している。そして、実施形態３の説明において、差出人側機器は第１画像処理装置２０であり、受取人側機器は端末装置１０である。
【００７６】
実施形態３において、差出人は、第１画像処理装置２０を直接操作して、文書画像を送信する。具体的には、差出人は、第１画像処理装置２０の画像読取部１１９にて原稿を読み取ったり、記録媒体に記録された原稿データを第１画像処理装置２０に読み込ませたりする。その後、第１画像処理装置２０の文書送信部２１は、原稿データに基づいて文書画像を作成する。
【００７７】
一方、受取人は、端末装置１０から文書送受信システム１にログインする。そして、端末装置１０にて、文書画像をダウンロードし、例えばＰＤＦ（Portable Document Format）形式など電子ファイルとして出力する。
【００７８】
以上のように、実施形態３においては、第１画像処理装置２０から文書データが管理サーバ３０に送信される。その後、例えば端末装置１０において受取人が文書データを出力することで、文書データの電子ファイルが受取人によって受領される。
そして、実施形態３においても、印刷期限の前後において、文書データの出力態様を異ならせる。具体的には、実施形態３では、文書画像はＰＤＦ等の電子ファイルによって出力されるが、印刷期限の前後で、その電子ファイルの内容が相違する。
【００７９】
なお、実施形態１〜実施形態３において、端末装置１０、第１画像処理装置２０、管理サーバ３０および第２画像処理装置４０における本サービスを実現する機能部の構成は、実施形態１の態様に限定されない。例えば、実施形態１において、第２画像処理装置４０の印刷期限文書処理部４３が行う印刷画像の内容を異ならせる処理は、管理サーバ３０が行っても良い。すなわち、管理サーバ３０は、印刷期限の前後において文書画像の内容が異なるように予め複数の文書画像を保持していても良い。また、管理サーバ３０は、第２画像処理装置４０に文書画像を送信する際に、印刷期限の前後で異なる文書画像を作成するようにしても良い。
【００８０】
また、実施形態１〜実施形態３において、管理サーバ３０に対して、文書ファイルの文書画像を送信するようにしているが、文書画像に代えて文書ファイルのＰＤＬデータを送信するようにしても良い。
【００８１】
なお、本実施形態における各構成の機能をコンピュータに実現させるプログラムは、例えば通信手段により提供することはもちろん、各種の記録媒体に格納して提供することも可能である。
【符号の説明】
【００８２】
１…文書送受信システム、１０…端末装置、２０…第１画像処理装置、２１…文書送信部、２２…文書種類設定部、２３…原本設定部、２４…宛先設定部、２５…印刷期限文書設定部、３０…管理サーバ、３１…登録情報記憶部、３２…文書記憶部、３３…原本登録部、３４…期限情報記憶部、３５…課金情報記憶部、４０…第２画像処理装置、４１…受信情報表示部、４２…文書画像取得部、４３…印刷期限文書処理部
【図１】
2018015954.tif 000003
【図２】
2018015954.tif 000004
【図３】
2018015954.tif 000005
【図４】
2018015954.tif 000006
【図５】
2018015954.tif 000007
【図６】
2018015954.tif 000008
【図７】
2018015954.tif 000009
【図８】
2018015954.tif 000010
【図９】
2018015954.tif 000011
【図１０】
2018015954.tif 000012
【図１１】
2018015954.tif 000013